(57)【要約】【課題】光ファイバケーブルの信号伝送特性を損なうことなく、光ファイバーケーブルを容易に光コンセントの光ファイバー用レセプタクルに接続することができ、また施工者によるばらつきの無い均一な施工が容易に行える光ファイバー用配線器具及びその施工方法を提供することにある。【解決手段】光ファイバー用配線器具は、取付穴の正面に取り付けられる取付枠８と、該取付枠８を前面側から覆う化粧プレート７０と、取付枠８に取け付けられる光コンセント１と、この光コンセント１の光ファイバー様レセプタクル４に接続する光ファイバーケーブルを固定し且つ光ファイバーケーブルの許容最小曲率半径以上の曲率半径で巻回する巻き取り体５と、巻き取り体５を保持する共にボディ２に着脱自在に取り付ける保持体６とから成る。【選択図】図１
2005073366.tif 000002
【特許請求の範囲】
【請求項１】
造営構造物の外面に開口した取付穴に取り付けられるコンセント本体及び該コンセント本体に設けられ前記コンセント本体外部に臨ませるプラグ接続口を有する光ファイバー用レセプタクルを備えた光コンセントと、前記造営構造物の内側に配線されて前記光ファイバー用レセプタクルに接続される光ファイバーケーブルを固定し且つ光ファイバーケーブルの許容最小曲率半径以上の曲率半径で巻回する巻き取り体と、前記コンセント本体に設けられ、前記巻き取り体を前記造営構造物の内側で保持する保持体とから成ることを特徴とする光ファイバー用配線器具。
【請求項２】
前記保持体には前記巻き取り体を収納保持する収納部を備えていることを特徴とする請求項１記載の光ファイバー用配線器具。
【請求項３】
前記巻き取り体に巻回された前記光ファイバーケーブルの外向き弾性力に抗する前記収納部の内周面の曲率半径を、光ファイバーケーブルの許容最小曲率半径以上を維持できる曲率半径としていることを特徴とする請求項２記載の光ファイバー用配線器具。
【請求項４】
前記巻き取り体から前記光ファイバー用レセプタクルまで前記光ファイバーケーブルの許容最小曲率半径以上を維持しながら光ファイバーケーブルを誘導する誘導路を備えていることを特徴とする請求項１乃至３の何れか記載の光ファイバー用配線器具。
【請求項５】
前記保持体と該保持体に保持された前記巻き取り体とに連続するように前記誘導路を形成していることを特徴とする請求項４記載の光ファイバー用配線器具。
【請求項６】
前記巻き取り体には、前記光ファイバーケーブルの許容最小曲率半径以上の曲率半径を有する外周面に前記光ファイバーケーブルを巻回する円柱状の巻き胴部と、この巻き胴部に巻回された前記光ファイバーケーブルを前記保持体側へ導出する誘導路用の導出溝を備えていることを特徴とする請求項５記載の光ファイバー用配線器具。
【請求項７】
前記巻き取り体には取っ手を備えていることを特徴とする請求項１乃至６の何れか記載の光ファイバー用配線器具。
【請求項８】
造営構造物の外面に開口した取付穴に取り付けられるコンセント本体及び該コンセント本体に設けられ前記コンセント本体外部に臨ませるプラグ接続口を有する光ファイバー用レセプタクルを備えた光コンセントと、前記造営構造物の内側に配線されて前記光ファイバー用レセプタクルに接続される光ファイバーケーブルを固定し且つ光ファイバーケーブルの許容最小曲率半径以上の曲率半径で巻回する巻き取り体と、前記光ファイバーケーブルを相互間に亘しながら光ファイバーケーブルの許容最小曲率半径以上の曲率半径で８の字に巻回する一対の巻き取り部を有する巻き取り体と、該巻き取り体を前記造営構造物の内側で前記コンセント本体に保持させる保持手段とから成ることを特徴とする光ファイバー用配線器具。
【請求項９】
前記巻き取り体には前記コンセント本体に固定する固定手段を備えていることを特徴とする請求項８記載の光ファイバー用配線器具。
【請求項１０】
コンセント本体及び該コンセント本体に設けられ前記コンセント本体外部に臨ませるプラグ接続口を有する光ファイバー用レセプタクルを備え、造営物の床下の取付穴に配置される光コンセントと、前記床下に配線され、前記光ファイバー用レセプタクルに接続される光ファイバーケーブルを巻回する巻き取り体と、前記光ファイバーケーブルの張力止め手段と、前記巻き取り体及び前記張力止め手段を取り付け、前記床下内に付設されるプレート体とから成ることを特徴とする光ファイバー用配線器具。
【請求項１１】
造営構造物の外面に開口した取付穴に取り付けられるコンセント本体及び該コンセント本体に設けられ前記コンセント本体外部に臨ませるプラグ接続口を有する光ファイバー用レセプタクルを備えた光コンセントと、前記造営構造物の内側に配線されて前記光ファイバー用レセプタクルに接続される光ファイバーケーブルを固定し且つ光ファイバーケーブルの許容最小曲率半径以上の曲率半径で巻回する巻き取り体と、前記コンセント本体に設けられ、前記巻き取り体を前記取付穴を介して前記造営構造物の内側で保持する保持体と、から構成される光ファイバー用配線器具の施工方法において、
前記取付穴に導入せる前記光ファイバーケーブルの先部の外被を剥離した光ファイバー心線を前記コンセント本体に取り付けられる前の光ファイバー用レセプタクルに接続する過程と、
前記巻き取り体に設けられた巻き胴部の第１の巻き取り部位に光ファイバーケーブルの先部の外被部位を固定するとともに、この第１の巻き取り部位に隣接する第２の巻き取り部位に前記光ファイバー心線を光ファイバーケーブルの許容最小曲率半径以上を保持しつつ巻回し、第２の巻き取り部位に設けられた導出溝内に前記光ファイバー心線を導いて前記巻き取り体から余長部分を導出する過程と、
前記巻き取り体を前記保持体に取り付け、この取り付け後に前記コンセント本体の背部に前記光ファイバー用レセプタクルと前記保持体を順次取り付ける過程と、
前記コンセント本体に取り付けた前記保持体と前記光ファイバーケーブルとを前記取付穴に収納するとともに、前記コンセント本体を予め取り付けている前記取付枠を前記取付穴の正面開口部に固定する過程と、から成ることを特徴とする光ファイバー用配線器具の施工方法。
【請求項１２】
前記保持体を前記コンセント本体に取り付けた後、前記巻き取り体から出ている光ファイバーケーブルの外被部分を前記保持体に巻き付けて前記光ファイバーケーブルの余長部分を短くしながら、この取り付け後に前記保持体と前記光ファイバーケーブルとを前記取付穴内に収納することを特徴とする請求項１１記載の光ファイバー用配線器具の施工方法。
【請求項１３】
前記巻き取り体の少なくとも第２の巻き取り部の表面が滑りやすく加工された面であることを特徴とする請求項１１又は１２記載の光ファイバー用配線器具の施工方法。
【請求項１４】
造営構造物の外面に開口した有底の取付穴に取り付けられるコンセント本体及び該コンセント本体に設けられ前記コンセント本体外部に臨ませるプラグ接続口を有する光ファイバー用レセプタクルを備えた光コンセントと、前記造営構造物の内側に配線されて前記取付穴内に導入され、前記光ファイバー用レセプタクルに接続される光ファイバーケーブルを固定し且つ光ファイバーケーブルの許容最小曲率半径以上の曲率半径で巻回する巻き取り体と、前記コンセント本体に設けられ、前記巻き取り体を前記前記構造物の内側で保持する保持体とから構成される光ファイバー用配線器具の施工方法において、
前記取付穴に導入した前記光ファイバーケーブルの先部の外被を剥離した光ファイバー心線を前記コンセント本体に取り付けられる前の光ファイバー用レセプタクルに接続する過程と、
柔軟性を有し且つ弾性復帰力を有する材質からなる前記巻き取り体に前記光ファイバーを巻回するとともに前記巻き取り体から前記光ファイバー心線の余長部分を導出する過程と、
前記光ファイバー用レセプタクルを前記コンセント本体の背部に取り付け、この取り付け後前記巻き取り体と前記光ファイバーケーブルの外被部分の余長部位とを前記取付穴に収納するとともに、前記コンセント本体を予め取り付けている前記取付枠を前記取付穴の正面開口部に固定する過程と、から成ることを特徴とする光ファイバー用配線器具の施工方法。
【発明の詳細な説明】
【技術分野】
【０００１】
本発明は、造営物の壁裏や床下等に導入された光ファイバーケーブルを接続する光コンセントを用いた光ファイバー用配線器具及びその施工方法に関するものである。
【背景技術】
【０００２】
造営物の壁面に埋設されたボックス内に造営物を貫通させた光ファイバーケーブルを導入し、埋め込み型の電気用の配線器具と同様に規格化された取付枠により前記ボックスに取り付ける光コンセントからなる光ファイバー用配線器具が従来、提供されている。（特許文献１）
【特許文献１】特許第２７９３１８３号公報（第１図（ａ））
【発明の開示】
【発明が解決しようとする課題】
【０００３】
上記のような壁面に埋設したボックスに光コンセントを取り付ける光ファイバー用配線器具では、光ファイバーケーブルの信号伝送特性を損なわず、光通信の特性を満足させるために、光ファイバーケーブルの余長処理に手間がかかり、施工が複雑なっていた。また、余長処理や光ファイバーケーブルの許容最小曲率半径を確保することを考慮するために通常の配線器具に用いるボックスより大きなサイズのものを用いていた。
【０００４】
本発明は、光ファイバケーブルの信号伝送特性を損なうことなく、光ファイバーケーブルを容易に光コンセントの光ファイバー用レセプタクルに接続することができ、また施工者によるばらつきのない均一な施工が容易に行え、その上部品点数が少なくコストを低減できる光ファイバー用配線器具及びその施工方法を提供することにある。
【課題を解決するための手段】
【０００５】
上記の目的を達成するために、請求項１の光ファイバー用配線器具の発明では、造営構造物の外面に開口した取付穴に取り付けられるコンセント本体及び該コンセント本体に設けられ前記コンセント本体外部に臨ませるプラグ接続口を有する光ファイバー用レセプタクルを備えた光コンセントと、前記造営構造物の内側に配線されて前記光ファイバー用レセプタクルに接続される光ファイバーケーブルを固定し且つ光ファイバーケーブルの許容最小曲率半径以上の曲率半径で巻回する巻き取り体と、前記コンセント本体に設けられ、前記巻き取り体を前記造営構造物の内側で保持する保持体とから成ることを特徴とする。
【０００６】
請求項１の発明によれば、光ファイバーケーブルの信号伝送特性を損なうことなく余長処理が行えるものであって、光ファイバーケーブルを光コンセントの光ファイバー用レセプタクルに接続することが容易に行え、施工者によるばらつきのない均一な施工が行える上施工が容易に行える。
【０００７】
請求項２の光ファイバー用配線器具の発明では、請求項１の発明において、前記保持体には前記巻き取り体を収納保持する収納部を備えていることを特徴とする。
【０００８】
請求項２の光ファイバー用配線器具の発明によれば、巻き取り体に巻回した光ファイバーケーブルが外向きの弾性力による巻回径のふくらむのを防ぐとともに、光ファイバーケーブルの保護が図れ、そのため施工時に起こり得る光ファイバーケーブルの損傷を防止できて、光通信の信頼性を向上させることができる。
【０００９】
請求項３の光ファイバー用配線器具の発明では、請求項２の発明において、前記巻き取り体に巻回された前記光ファイバーケーブルの外向き弾性力に抗する前記収納部の内周面の曲率半径を、光ファイバーケーブルの許容最小曲率半径以上を維持できる曲率半径としていることを特徴とする。
【００１０】
請求項３の光ファイバー用配線器具の発明によれば、巻き取り体に巻回した光ファイバーケーブルが外向きの弾性力により巻回径のふくらむのを防ぎことができる上にその巻回径を許容最小曲率半径以上に少なくとも維持できるため信号伝送特性を損なわせることがなく、また保持体の収納部のスペースを必要最小限に小さくすることができ、その結果保持体を収納する取付穴の大きさを小さくすることができる。
【００１１】
請求項４の光ファイバー用配線器具の発明では、請求項１乃至３の何れかの発明において、前記巻き取り体から前記光ファイバー用レセプタクルまで前記光ファイバーケーブルの許容最小曲率半径以上を維持しながら光ファイバーケーブルを誘導する誘導路を備えていることを特徴とする。
【００１２】
請求項４の光ファイバー用配線器具によれば、許容最小曲率半径を維持しながら光ファイバーケーブルを光ファイバー用レセプタクプル側へ導出して接続することができ、そのため信号伝送特性を損なうことなく、光通信の信頼性を確保できる。
【００１３】
請求項５の光ファイバー用配線器具の発明では、請求項４の発明において、前記保持体と該保持体に保持された前記巻き取り体とに連続するように前記誘導路を形成していることを特徴とする。
【００１４】
請求項５の光ファイバー用配線器具の発明によれば、巻き取り体と保持体の２部品で最小曲率半径を維持する誘導路を形成できるため、一部品では形成が困難な形状を実現でき、そのため信号伝送特性を損なうことなく、光通信の信頼性を確保できる。
【００１５】
請求項６の光ファイバー用配線器具の発明では、請求項５の発明において、前記巻き取り体には、前記光ファイバーケーブルの許容最小曲率半径以上の曲率半径を有する外周面に前記光ファイバーケーブルを巻回する円柱状の巻き胴部と、この巻き胴部に巻回された前記光ファイバーケーブルを前記保持体側へ導出する誘導路用の導出溝を備えていることを特徴とする。
【００１６】
請求項６の光ファイバー用配線器具の発明によれば、左右何れの方向にも光ファイバーを巻回することができて巻回方向に制限がなく、余長処理の施工が容易となる。
【００１７】
請求項７の光ファイバー用配線器具の発明では、請求項１乃至６の何れかの発明において、前記巻き取り体には取っ手を備えていることを特徴とする。
【００１８】
請求項７の光ファイバー用配線器具の発明によれば、巻き取り体が持ち易くなり、光ファイバーの巻回作業が容易に行える。
【００１９】
請求項８の光ファイバー用配線器具の発明では、造営構造物の外面に開口した取付穴に取り付けられるコンセント本体及び該コンセント本体に設けられ前記コンセント本体外部に臨ませるプラグ接続口を有する光ファイバー用レセプタクルを備えた光コンセントと、前記造営構造物の内側に配線されて前記光ファイバー用レセプタクルに接続される光ファイバーケーブルを固定し且つ光ファイバーケーブルの許容最小曲率半径以上の曲率半径で巻回する巻き取り体と、前記光ファイバーケーブルを相互間に亘しながら光ファイバーケーブルの許容最小曲率半径以上の曲率半径で８の字に巻回する一対の巻き取り部を有する巻き取り体と、該巻き取り体を前記造営構造物の内側で前記コンセント本体に保持させる保持手段とから成ることを特徴とする。
【００２０】
請求項８の光ファイバー用配線器具の発明によれば、光ファイバーケーブルの信号伝送特性を損なうことなく余長処理が行えるものであって、光ファイバーケーブルを光コンセントの光ファイバー用レセプタクルに接続することが容易に行え、施工者によるばらつきのない均一な施工が行える上施工が容易に行え、その上巻き取り体では８の字に光ファイバーケーブルを巻回するため、巻回時に生じる光ファイバーケーブルの捻れを抑えることができ、余長処理がし易くなる。
【００２１】
請求項９の光ファイバー用配線器具の発明では、請求項８の発明において、前記巻き取り体には前記コンセント本体に固定する固定手段を備えていることを特徴とする。
【００２２】
請求項９の光ファイバー用配線器具の発明によれば、巻き取り体を取付穴内に収納し易くなり、そのため施工性が向上する。
【００２３】
請求項１０の光ファイバー用配線器具の発明では、コンセント本体及び該コンセント本体に設けられ前記コンセント本体外部に臨ませるプラグ接続口を有する光ファイバー用レセプタクルを備え、造営物の床下の取付穴に配置される光コンセントと、前記床下に配線され、前記光ファイバー用レセプタクルに接続される光ファイバーケーブルを巻回する巻き取り体と、前記光ファイバーケーブルの張力止め手段と、前記巻き取り体及び前記張力止め手段を取り付け、前記床下内に付設されるプレート体とから成ることを特徴とする。
【００２４】
請求項１０の光ファイバー用配線器具の発明によれば、光ファイバーケーブルの信号伝送特性を損なうことなく余長処理が行えるものであって、光ファイバーケーブルを光コンセントの光ファイバー用レセプタクルに接続することが容易に行え、施工者によるばらつきのない均一な施工が行える上施工が容易に行え、しかも張力止め手段で光ファイバーケーブルの張力止めを図りつつ巻き取り体をプレートに固定できるため、光ファイバーケーブルに張力がかかって断線するなどのトラブルを防ぐことができるフロアコンセント型の光ファイバー用配線器具を提供できる。
【００２５】
請求項１１の光ファイバー用配線器具の施工方法の発明では、造営構造物の外面に開口した取付穴に取り付けられるコンセント本体及び該コンセント本体に設けられ前記コンセント本体外部に臨ませるプラグ接続口を有する光ファイバー用レセプタクルを備えた光コンセントと、前記造営構造物の内側に配線されて前記光ファイバー用レセプタクルに接続される光ファイバーケーブルを固定し且つ光ファイバーケーブルの許容最小曲率半径以上の曲率半径で巻回する巻き取り体と、前記コンセント本体に設けられ、前記巻き取り体を前記取付穴を介して前記造営構造物の内側で保持する保持体と、から構成される光ファイバー用配線器具の施工方法において、
前記取付穴に導入せる前記光ファイバーケーブルの先部の外被を剥離した光ファイバー心線を前記コンセント本体に取り付けられる前の光ファイバー用レセプタクルに接続する過程と、
前記巻き取り体に設けられた巻き胴部の第１の巻き取り部位に光ファイバーケーブルの先部の外被部位を固定するとともに、この第１の巻き取り部位に隣接する第２の巻き取り部位に前記光ファイバー心線を光ファイバーケーブルの許容最小曲率半径以上を保持しつつ巻回し、第２の巻き取り部位に設けられた導出溝内に前記光ファイバー心線を導いて前記巻き取り体から余長部分を導出する過程と、
前記巻き取り体を前記保持体に取り付け、この取り付け後に前記コンセント本体の背部に前記光ファイバー用レセプタクルと前記保持体を順次取り付ける過程と、
前記コンセント本体に取り付けた前記保持体と前記光ファイバーケーブルとを前記取付穴に収納するとともに、前記コンセント本体を予め取り付けている前記取付枠を前記取付穴の正面開口部に固定する過程と、から成ることを特徴とする。
【００２６】
請求項１１の光ファイバー用配線器具の施工方法の発明によれば、施工者によるばらつきの無い均一な施工が行える。
【００２７】
請求項１２の光ファイバー用配線器具の施工方法の発明では、請求項１１の発明において、前記保持体を前記コンセント本体に取り付けた後、前記巻き取り体から出ている光ファイバーケーブルの外被部分を前記保持体に巻き付けて前記光ファイバーケーブルの余長部分を短くしながら、この取り付け後に前記保持体と前記光ファイバーケーブルとを前記取付穴内に収納することを特徴とする。
【００２８】
請求項１２の発明によれば、取付穴内に導入している光ファイバーケーブルの余長分をできるだけ短くしながら保持体を取付穴内に収納することができる。
【００２９】
請求項１３の光ファイバー用配線器具の施工方法の発明では、請求項１１又は１２の発明において、前記巻き取り体の少なくとも第２の巻き取り部の表面が滑りやすく加工された面であることを特徴とする。
【００３０】
請求項１３の光ファイバー用配線器具の施工方法によれば、光ファイバー用レセプタクルに接続されている光ファイバーケーブルの引っ張り力に対して、巻き取り体の第２の巻き取り部に巻回されている光ファイバー心線が回転して張力を緩和することができ、そのため施工の信頼性向上とともに信号伝送特性の劣化を防止できる。
【００３１】
請求項１４の光ファイバー用配線器具の施工方法の発明では、造営構造物の外面に開口した有底の取付穴に取り付けられるコンセント本体及び該コンセント本体に設けられ前記コンセント本体外部に臨ませるプラグ接続口を有する光ファイバー用レセプタクルを備えた光コンセントと、前記造営構造物の内側に配線されて前記取付穴内に導入され、前記光ファイバー用レセプタクルに接続される光ファイバーケーブルを固定し且つ光ファイバーケーブルの許容最小曲率半径以上の曲率半径で巻回する巻き取り体と、前記コンセント本体に設けられ、前記巻き取り体を前記前記構造物の内側で保持する保持体とから構成される光ファイバー用配線器具の施工方法において、前記取付穴に導入した前記光ファイバーケーブルの先部の外被を剥離した光ファイバー心線を前記コンセント本体に取り付けられる前の光ファイバー用レセプタクルに接続する過程と、柔軟性を有し且つ弾性復帰力を有する材質からなる前記巻き取り体に前記光ファイバーを巻回するとともに前記巻き取り体から前記光ファイバー心線の余長部分を導出する過程と、前記光ファイバー用レセプタクルを前記コンセント本体の背部に取り付け、この取り付け後前記巻き取り体と前記光ファイバーケーブルの外被部分の余長部位とを前記取付穴に収納するとともに、前記コンセント本体を予め取り付けている前記取付枠を前記取付穴の正面開口部に固定する過程と、から成ることを特徴とする。
【００３２】
請求項１４の光ファイバー用配線器具の施工方法の発明によれば、施工者によるばらつきの無い均一な施工が行え、取付穴内で光ファイバーケーブルを保護できるとともに、巻き取り体の形状が自己変形して取付穴内のスペースに対応できる。
【発明の効果】
【００３３】
光ファイバー用配線器具の発明は、光ファイバーケーブルの信号伝送特性を損なうことなく余長処理が行えるものであって、光ファイバーケーブルを光コンセントの光ファイバー用レセプタクルに接続することが容易に行え、施工者によるばらつきの無い均一な施工が行える上施工が容易に行えるという効果がある。
【発明を実施するための最良の形態】
【００３４】
以下本発明を実施形態により説明する。
【００３５】
（実施形態１）
本実施形態の光ファイバー用配線器具は、図１に示すようにＪＩＳで規格化された大角形の１個モジュールの配線器具を３個取り付けることができる樹脂製取付枠８と、この取付枠８に対して取り付けることができる３個モジュールの寸法で形成されたボディ２及びボディ２の前面部に開閉自在に枢支されるカバー３からなるコンセント本体とカバー３に図２に示す光ファイバー用レセプタクル４とで構成される光コンセント１と、光ファイバー用レセプタクル４に接続する光ファイバーケーブル３２を巻回する巻き取り体５と、この巻き取り体５を保持する保持体６と、取付枠８に対応する化粧プレート７０とで構成される。
【００３６】
光コンセント１の主構成部材であるコンセント本体をカバー３とで構成するボディ２は図３，図４に示すように上下、左右の四方が周壁７ａ〜７ｃにより囲まれ、上側の略半分を前後方向に開口し、下側の略半分には背部２ａを一体形成した合成樹脂成形体からなり、左右の周壁７ａ、７ａの前側外面の上下位置には取付枠８の係止部１０に係止させるための対の被係止爪９，９をそれぞれ一体形成している。また上側の周壁７ｂの前面部にはカバー３の回動軸２０（図７参照）を回動自在に支持する軸受部１１を前方へ突出形成している。
【００３７】
また下側の周壁７ｃの前端部の両側には所定間隔を空けて前方へ一対の突出部１２，１２を膨出形成し、この突出部１２，１２の間には下側の背部２ａの下端より前方へ一体延長して形成した弾性片１３の先部に設けた押しボタン１４を介在させるとともに、この押しボタン１４の操作面と突出部１２，１２の前面をほぼ同一高さとしてある。またこの押しボタン１４と弾性片１３の境界部にはカバー３の下端部中央に突出形成している係止突片１５を係脱自在に係止する係止孔１６を設けてある。また背部２ａの上端部付近の背面の両側には上記の保持体６を支持するための支持部１７、１７を一体に形成している。この支持部１７，１７には相対向する側面と下端とが開口した係止溝１８，１８をそれぞれ形成しており、この係止溝１８，１８を利用して後述するように保持体６を背部２ａの背面に着脱自在に取り付けるようになっている。
【００３８】
カバー３は合樹脂成形体からなり、図５，図６に示すように長方形状の前面部３ａと、この前面部３ａの背面両側から後方へ延長形成した脚部１９，１９と、上端部の両側に上方へ突出形成された軸保持部２２、２２とからなり、前面部３ａの背面側と脚部１９，１９間の空間部で光ファイバー用レセプタクル４を収納保持する収納部を構成している。また軸保持部２２，２２は対向面に回動軸２０の両端を支持する軸孔２１を貫通形成したもので、この軸保持部２２，２２間にボディ２側の軸受部１１を介在させ、一方の軸保持部２２の軸孔２１、軸受部１１の軸受凹部１１ａ、他方の軸保持部２２の軸孔２１に回動軸２０を挿通させることで、カバー３の上端部を回動自在にボディ２に枢支するようになっている。
【００３９】
脚部１９，１９の前面部３ａ側の基端と先端との間の中間部位には内向きに、光ファイバー用レセプタクル４のハウジング４０の背面に当接する支持片２３を突出形成している。一方前面部３ａは両脚部１９，１９間の背面に光ファイバー用レセプタクル４のハウジング４０の前面に当接するリブ２４を形成し、また背面の下端部には光ファイバー用レセプタクル４のハウジング４０の先端に当接する突片２６を突出形成し、更にリブ２４の下部にはハウジン４０の前面に当接する段部２５を形成している。そして、これら支持片２３，リブ２４，突片２６、段部２５によって、前面部３ａと脚部１９，１９とにより囲まれた空間からなる収納部に光ファイバー用レセプタクル４を収納保持するようになっている。
【００４０】
光ファイバー用レセプタクル４は、図２に示すように合成樹脂成形体からなる直方体状の中空部材をハウジング４０として用い、このハウジング４０は先部（カバー３に取り付けたときに下部となる）側の外周面を後部（カバー３に取り付けたときには上部となる）側の外周面より突出させ、また内部においては隔壁４１により内部空間を左右に仕切り、それぞれの空間部の中間を光ガイド筒体２８を収納する収納部４２とし、また空間部の前部側をプラグ接続部４３とし、後部側をケーブル接続部４４としている。光ガイド筒体２８は中央部を左右に突出させ、その突出部２８ａ，２８ａの先端面を収納部４２の左右の内壁面に当接させ、また突出部２８ａ，２８ａの上下面に形成した被係止用凹凸部２９を、収納部４２の上下内壁面に形成した係止用凹凸部３０に係止させることで収納部４２内に固定保持されるようなっている。また突出部２８ａ，２８ａの前面には光ファイバー用プラグ（図示せず）のハウジングに係止する係止爪３１ａ，３１ａを先端に設けた弾性突片３１，３１を一体に形成してあり、また後面には光ファイバーケーブル３２の先端部に設けた接続具３２ａに係止する係止爪３３ａ，３３ａを設けた弾性突片３３，３３を一体に形成している。
【００４１】
さてプラグ接続部４３は後述する光ファイバー用プラグ（図示せず）を差し込むためのものであって、このプラグ接続部４３に光ファイバー用プラグ（図示せず）が差し込み接続されることで光ガイド筒体２８のガイド孔２８ｂを介して光ファイバーケーブル３２と、光ファイバー用プラグ（図示せず）に接続されている光ファイバーケーブル（図示せず）との間が光結合されるようになっている。そして光ファイバー用プラグ（図示せず）を接続していない非使用状態では、光ファイバーケーブル３２を介して送られてくるレーザー光がプラグ接続部４３側に漏出することになるため、外部への漏出を防止する保護扉３５をそれぞれのプラグ接続部４３の開口４３ａ内に設けてある。この保護扉３５は左右２枚の扉体３５ａ，３５ａからなり、各扉体３５ａは一側端が軸体３６で回動自在に枢支されるとともに捻りばね３７の付勢で開口４３ａを閉じる方向に回動力が与えられるようになっており、非使用時は左右の２枚の扉体３５ａ、３５ａの先端が重なった状態で開口４３ａを閉塞している（図２（ａ）、（ｂ）の上側のプラグ接続部４３）。そして光ファイバー用プラグ（図示せず）が開口４３ａより差し込まれる際にその差し込み力により両扉体３５ａ，３５ａは捻りばね３７の付勢力に抗してプラグ接続部４３の奥側へ押されてプラグ接続部４３の左右内壁面に当接する位置までそれぞれが回動し、開口４３ａを開くことになる。尚状態を分かりやすくするために、図２（ａ）、（ｂ）では下側のプラグ接続部４３において保護扉３５が開いた状態を示しているが、実際には光ファイバー用プラグ（図示せず）が差し込まれなければ保護扉３５は開かない。
【００４２】
次に本実施形態の光コンセント１の組み立てについて説明する。
【００４３】
まずカバー３をボディ２に組み付けるに当たっては、図７（ａ）（ｂ）に示すように中央部３８ａをコ字状に折り曲げ形成し、両端部には捻り部３８ｂ、３８ｂを形成したばね体３８をボディ３に装着する。この場合ボディ２の軸受部１１の下面側に中央部３８ａの中央片を係止するとともに両端の捻り部３８ｂ、３８ｂを軸受部１１の両端部の裏側に形成した孔３９を介して軸受部１１の両端の裏部に形成せる凹所１１ｂ内に嵌め込み、軸受部１１の軸受凹部１１ａの両端と捻り部３８ｂ、３８ｂの透孔とを連通させる。
【００４４】
次にカバー３の軸保持部２２，２２間に軸受部１１を介在させるようにボディ２の前面側にカバー３を配置して一方の軸保持部２２の軸孔２１から一方の捻り部３８ｂの透孔、軸受部１１の軸受凹部１１ａ、他方の捻り部３８ｂの透孔、他方の軸保持部２２の軸孔２１に回動軸２０を挿入する。ここで回動軸２０は挿入側一端から他端近くまでの直径を軸孔２１，軸受凹部１１ａの内径よりもやや細い直径とすることで挿通を可能にしているが、図７（ｃ）に示すように他端部２０ａの直径を軸孔２１の内径よりも太い径とするとともに外面にローレット２０ｂの加工を施しており、この他端部２０ａが最終的に軸孔２１に圧入されることで回動軸２０はカバー３に固定される。
【００４５】
またばね体３８の捻り部３８ｂ，３８ｂから延長された各延長部３８ｃ、３８ｃはカバー３の前面部３ａの背面に弾接してカバー３をボディ２の前部から前方へ突出させる方向に回動させる付勢力を与えるようになっている。
【００４６】
このようにしてカバー３は、ばね体３８により回転軸２０を中心として下端側がボディ２の前面部より前方へ突出する方向に回動する付勢力が与えられる状態でボディ２に上端部が枢支される。このとき脚部１９，１９の先部をボディ２の背部２ａの両側に設けている長角孔２ｂによりボディ２の背方へ突出させる。
【００４７】
さてかようにボディ２に枢支されたカバー３に光ファイバー用レセプタクル４を取り付ける当たっては、光ファイバー用レセプタクル４をプラグ接続部４３が下側となるように脚部１９，１９間に挿置し、プラグ接続部４３部位のハウジング４０の先端を前面部３ａの下部裏面に突設してある突片２６に当接させるとともにプラグ接続部４３部位のハウジング４０の前面部を段部２５に当て、且つプラグ接続部４３より後方のハウジング４０の外面を脚部１９のリブ２４と支持片２３との間で挟持させる（図８（ａ）（ｂ）参照）。
【００４８】
このようにボディ２にカバー３を装着し、カバー３に光ファイバー用レセプタクル４を取り付けることで本実施形態の光コンセント１が完成される。図８（ａ）はね体３８の付勢力に抗してカバー３をボディ２の前部側に回動させカバー３の下端の係止突片１５先端を弾性片１３の弾性力を利用して押しボタン１４の係止孔１６に係止させた状態を示しており、このときカバー３は前面部３ａの前面をボディ２の突出部１２の前面と同一高さとした状態に保持され、前面部３ａの背方に取り付けた光ファイバー用レセプタクル４はボディ２内に収納された状態となる。この状態が非使用状態となる。そして押しボタン１４を弾性片１３の弾性力を利用して下向きかげんに押し操作すると、係止突片１５の先端が係止孔１６から離脱し、これによりカバー８はばね体３８の付勢力により回動軸２０を中心として図において反時計方向に回動して、上端部から下端部にかけて前面部３ａが下り傾斜するようにボディ２の前部より前方へ突出することになり、下端部とボディ２の前部との間から光ファイバー用レセプタクル４のプラグ接続部４３が図８（ｂ）に示すように下向きに外部に臨むことになる。尚カバー３の回動角は脚部１９、１９の先端外面にそれぞれ設けた突起１９ａ，１９ａがボディ２の背部２ａの両側の長角孔２ｂの背面側開口縁に当たることで規制される。この状態がプラグ接続を行う使用状態となる。
【００４９】
而してばね体３８と弾性片１３と押しボタン１４とがカバー３及び光ファイバー用レセプタクル４をポップアップさせるためのポップアップ機構として機能することになる。図９（ａ）（ｂ）は使用状態と、非使用状態の光コンセント１の外観斜視図を示す。
【００５０】
本実施形態で用いられる巻き取り体５は図１０、図１１に示すように円柱状の巻き取り胴部５０の中間部と上端部の外周面に鍔片５１，５２を周方向に一体形成し、更に鍔片５１の下面に周方向に一定間隔で、巻き取り胴部５０の外周面に平行する突片５３を一体に形成しており、突片５３に対向する巻き取り胴部５０が第１の巻き取り部を構成し、この巻き取り部には外被が剥離されていない光ファーバーケーブル３２を巻回し、突片５３で巻回した部分を固定するようになっている。そして鍔片５１の対向する両端間の間隙５６を介して外被を剥離した光ファイバー心線３２ａを鍔片５１，５２間の巻き取り胴部５０、つまり第２の巻き取り部側に導入し、この鍔片５１，５２間の第２の巻き取り部に光ファイバー心線３２ａを巻回するようになっている。尚巻き取り胴部５０の表面はろう付けや光沢加工などによって滑りやすい面としており、これにより巻回した光ファイバーケーブル３２やその心線３２ａが回転して張力を緩和するようになっている。
【００５１】
一方鍔片５２の対向両端は間隔を空けながら上方へ並行延長され、この延長部位間で巻き取り体５外へ光ファイバー心線３２ａを導出する導出溝５４を構成している。ここで巻き取り胴部５０の外径の半径は、上記許容最小曲率半径に対応しており、巻回される光ファイバーケーブル３２の信号伝送特性に影響を与えないようになっている。また導出溝５４の両側のコーナー部の内周面は、使用する光ファイバーケーブル（例えばガラスファイバーからなる光ファイバーケーブル）３２の信号伝送特性が劣化しない許容最小曲率半径以上の曲率半径を持つＲ曲面としてある。
【００５２】
光ファイバーケーブル３２及び光ファイバー心線３２ａを巻回させた巻き取り体５を収納保持するとともにボディ２に着脱自在に設けられる保持体６は図１２、図１３に示すように約半分が幅広部位で、その幅広部位に連なり、両側縁が円弧状となって先部が幅狭となった部位とからなる底壁６０と、この底壁６０の幅狭部位の周辺に沿って底壁６０に立設され、その両端が幅広部位で平行するように形成された周壁６１とで囲まれた空間部を巻き取り体５の収納保持部としたもので、底壁６０の幅狭部位には天井壁６２を設け、この天井壁６２、底壁６０、周壁６１で囲まれた袋状空間部６９に巻き取り体５の略半分を収納するするようになっている。周壁６１の内周面の内径は巻き取り体５の突片５１，５２の外径よりやや大きい内径となっており、保持体６が大型化することなく、収納する巻き取り体５に巻回している光ファイバーケーブル３２が外向きの弾性力によりその巻回径が広がったときに許容最小曲率半径を維持しつつ必要以上に拡径するのを規制するうようになっている。
【００５３】
また天井壁６２の先端中央部に半円状の突壁６３を突設するとともに、突壁６３の中央上面から袋状空間部６９の奥端側の天井壁６２の上面中央に亘るように突出体６５を一体形成している。この突出体６５は底壁６０の幅広部位側に対向した一端面に光ファイバー心線３２ａを収納ガイドする案内溝６４を下端から上端に亘るように形成している。また他端側は天井壁６２の上面に沿って両側方向に延長し、各延長壁６６の上端と突出体６５の他端側の各側部上端に連設するように、光コンセント１に装着するための係止突片６７を形成している。また底壁６０には巻き取り体５の位置決めのためのガイド溝６８を幅広部位の先端辺の中央から上記幅狭部位に至るように形成している。
尚図１４は巻き取り体５と保持体６の斜視図を示す。
【００５４】
次に本実施形態の光ファイバー用配線器具を、壁パネルやコンクリート壁のような壁を構成する造営構造物の外面に開口するように壁に埋設したスイッチボックスにより構成される取付穴に配設する施工について説明する。
【００５５】
まず、光コンセント１のボディ２より光ファイバー用レセプタクプル４を予め取り外しておくとともに、ＪＩＳで定められた大角形の１個モジュールの配線器具を３個取り付けることができる取付枠８の窓孔８ａに背方から光コンセント１の前部を嵌め込み、ボディ２の一側面から突出している被係止爪９を取付枠８の一方の側枠に設けている係止孔（図示せず）からなる係止部１０に係止させ、他方の側面から突出させている被係止爪９を取付枠８の他方の側枠に設けている対応する凸状の突片８ｂの肩部により形成せる係止部１０に係止させることで取付枠８に取り付ける。
【００５６】
一方図１７（ａ）に示すように前記造営構造物の内側、つまり壁パネルの場合には壁パネルの裏側の壁内、コンクリート壁の場合にはコンクリート壁内に配線され、壁に埋設されたスイッチボックスＢ内に導入されている光ファイバーケーブル３２の外被を剥離してむき出した光ファイバー心線３２ａの先端に設けた接続具３２ｂを、図１７（ｂ）に示すようにカバー３から外している光ファイバー用レセプタクル４の後端のケーブル接続部４４に差し込んで光ファイバー用レセプタクル４に接続する。
【００５７】
そしてこの接続後、光ファイバーケーブル３２の外皮部位の先部を巻き取り体５の巻き取り胴部５０の第１の巻き取り部に巻回固定し（図１７（ｃ））、さらに光ファイバー心線３２ａを巻き取り胴部５０の第２の巻き取り部に間隙５６を介して導入してこの第２の巻き取り部に巻回する（図１７（ｄ））。この巻回作業は巻き取り体５の巻き胴部５０の下部に形成している突起５５を取っ手として手で持ちながら図１８（ａ）に示すように行う。
【００５８】
そして光ファイバー心線３２ａの余長部分が短くなったところで、光ファイバー心線３２を導出溝５４を通じて巻き取り体５の外部へ導出する（図１８（ｂ））。この導出後、巻き取り体５を保持体６に保持させる（図１８（ｃ））。
【００５９】
この場合保持体６のガイド溝６８に巻き胴部５０の下部の突起５５を嵌め込み、巻き取り胴部５０の下部を底壁６０上に載せて幅狭部位方向にスライドさせることで、巻き取り体５を正しい方向に向けて上記袋状空間部内に巻き取り体５の半分を収納保持することができる。そして巻き取り体５を正しく収納保持させることで、上記導出溝５４を形成する鍔片５１の両端部が上記突出体６５の側面の基部に形成した凹み部６５ａに嵌り込み、導出溝５４の上端開口と前記案内溝６４の下端開口とが連通することになる。これにより導出溝５４と案内溝６４とで光ファイバー心線３２ａを誘導する誘導路が構成される。この誘導路の内周面の曲率半径を上述の許容最小曲率半径以上とすることで、この誘導路を介して保持体５外部に光ファイバー心線３２ａを信号伝送特性に影響に与えることなく導出することができることになる。
【００６０】
また上記袋状空間部内に収納された巻き取り体５の巻き取り胴部５０の下面が底壁６０に上面に形成された突部６０ａ上に乗り上げて、鍔片５１の上面が天井壁６２に圧接する形となる。つまり底壁６０と天井壁６２との間で巻き取り体５が挟持されることになる。そして鍔片５１，５２の周縁と周壁６１の壁面との間が近接するため鍔片５１，５２間の巻き取り胴部５０に巻回している光ファイバー心線３２ａがその弾性力で広がっても脱落は防止される。
【００６１】
さて保持体６に巻き取り体５を保持させた後、光ファイバー用レセプタクル４をカバー３の前面部３ａの背部に取け付ける（図１８（ｄ）＜図１５参照＞）。また保持体６を光コンセント１のボディ２の背部に取り付けるのである（図１９（ａ））。この取り付けはボディ２の背部２ａの背面両側に一体形成した支持部１７、１７に形成している係止溝１８、１８に図１６に示すように下端側から上記係止突片６７を係入する。このとき係止突片６７の板面に形成した突起６７ａが係止溝１８内の対向面に形成している凹部８２に嵌って係止突片６７の係入状態を保持するのである。またボディ２の開口部より突出体６５の先部がボディ２内に入る。
【００６２】
この取り付け後取付枠８を持ちながら全体を回して外被付きの光ファイバーケーブル３２の余長部分を保持体５の外周に巻回させて余長を短くする（図１９（ｂ）〜（ｄ））。
【００６３】
この巻回後、若しくは巻き取りながら光コンセント１の背部、保持体５，光ファイバーケーブル３２の余長部分をスイッチボックスＢ内に収納する（図２０（ａ））。この収納後取付枠８の上下枠片に設けたねじ挿通孔８ｄを利用してスイッチボックスＢのねじ孔ｂに取付けねじ（図示せず）でねじ固定し、この後化粧プレート７０を取付枠８の前面側に係止爪（図示せず）やねじなどにより取り付け、この化粧プレート７０により取付穴及び取付枠８を被蔽し、また化粧プレート７０の開口窓７０ａより光コンセント１の前部を外部に露出させれば施工が完了する（図２０（ｂ））。尚８ｃは壁面に直接ねじ固定する際に用いるねじ挿通孔である。
【００６４】
そして上述した非使用状態では図１６に示すようにカバー３の前面部３ａの前面部は壁面に平行する平坦面となって、ほぼ化粧プレート７０の前面とほぼ同一の高さの面となり、ほとんど出っ張りが無くなるのである。
【００６５】
光コンセント１を使用する際には、下端部に露出している押しボタン１４を上述したように押し操作すれば良く、この押し操作により保持状態が解除され、ばね体３８の付勢力によりカバー３が光ファイバ−用レセプタクル４とともに回動してボディ２の前部の前方へ突出し、つまりポップアップして図２（ｂ）に示すように下向きに光ファイバー用レセプタクル４のプラグ接続口４３を外部に臨ませることになる。このときが使用状態でカバー３の前面部３ａの前面は上端から下端にかけて傾斜した傾斜面となる。
【００６６】
ポップアップ後、光ファイバー用プラグ（図示せず）を上向きにプラグ接続口４３の開口４３ａに差し込めば光コンセント１に光ファイバー用プラグ（図示せず）を接続できることになる。この差し込みの際に開口４３ａに設けている保護扉３５の扉体３５ａ、３５ａが押し広げられる。尚光ファイバー用プラグ（図示せず）を差し込む前は保護扉３５の扉体３５ａ，３５ａは捻りばね３７により付勢されて閉じられているため、プラグ接続口４３の位置確認などを行う場合あっても、保護扉２５によってレーザー光が遮られ、レーザー光が目に入ることはない。
【００６７】
以上のように構成され、且つ施工される本実施形態では、全体の使用部品点数も少なく、量産可能な部材を使用することも可能であるためコストの低減が図れ、また施工者によるばらつきの無い均一な施工が行えるという利点がある。
【００６８】
尚本実施形態はスイッチボックスＢを用いているが、ボックスレスで壁や床や天井などの造営材に開口した取付穴を用いて光りコンセント１を取り付けるようにしても勿論良い。
【００６９】
（実施形態２）
ところで上記実施形態１のような巻き取り体５と保持体６の代わりに本実施形態では図２１（ａ）〜（ｄ）に示すように平面形状が長円形状のベース８０の上面に形成した凹平面８０ａ内に先端に鍔部８１ａを形成した円柱状の巻き取り部８１を一定間隔離して立設し、、光ファイバーケーブル３２を両巻き取り部８１，８１に亘らせることで８の字状に巻回する合成樹脂成形体からなる巻き取り体５’を用いる。この巻き取り体５’の背面には上記の保持体６の係止突片６７と同様に光コンセント１のボディ２の背部２ａの背面両側に一体形成した支持部１７、１７に形成している係止溝１８、１８に下端側から係入することで巻き取り体５’をボディ２に保持するための保持手段たる係止突片６７’を一体に設けてある。
【００７０】
尚光コンセント１の構成等その他の構成は実施形態１と同じであるので図示と説明を省略する。
【００７１】
而して本実施形態では、８の字に巻回することで光ファイバーケーブル３２の捻れを抑えることができ、施工が容易な上に施工者によるばらつきの無い均一な施工が行え、しかも全体の使用部品点数も少なく、量産可能な部材を使用することも可能であるためコストの低減が図れるという利点がある。
【００７２】
尚巻回の曲率半径は光ファイバーケーブル３２の許容最小曲率半径以上としているのは勿論である。
【００７３】
（実施形態３）
上記実施形態１，２の巻き取り体５，５’は光コンセント１のボディ２に取り付ける構成であったが、本実施形態では図２２（ａ）、（ｂ）に示すように弾性と柔軟性を併せ持つ部材、例えばいわゆる軟質のスポンジを用いた外形が扁平な直方体状の巻き取り体５”を用いている。この巻き取り体５”の内部に断面が矩形の孔８２を巻き取り体５”の上面に並行するように８の字状に形成するとともに、この８の字の両円部位の両側の孔８２に連通する連通孔２０２を形成し、それぞれの連通孔８３の端部を巻き取り体５”の両端面に開口したもので、巻き取り体５”の上面には各孔８２、８３に上部から連通する切り込み８４を設けてある。また８の字の各円部に囲まれる柱部８５の外径の半径を光ファイバーケーブル３２の許容最小曲率半径以上としている。
【００７４】
而して本実施形態では切り込み８４を介して巻き取り体５”内の孔８２に光ファイバーケーブル（図示せず）を押し込みながら各柱部８５間に亘るように８の字に巻回し、光ファイバーケーブル（図示せず）の外被側を一端側の連通孔８３の開口より導出し、また光ファイバー心線（図示せず）を他端側の連通孔８３の開口より導出するのである。
【００７５】
そして光ファイバー心線（図示せず）を実施形態１の場合と同様に接続した光ファイバー用レセプタクル４を光コンセント１に取り付けた後、巻き取り体５”をスイッチボックスＢ内に収納し、その後スイッチボックスＢに取付枠８の取り付け、この取り付け後化粧プレート７０を取り付ければ施工が完了する。
【００７６】
ここで本実施形態では、巻き取り体５”の弾性復帰力により許容最小曲率半径を維持しながら光ファイバーケーブル（図示せず）を柱部８４に巻回することができ、そのため信号伝送特性に影響を与えることがなく、また巻き取り体５”内に光ファイバーケーブル（図示せず）を収納するため、スイッチボックスＢ内に巻き取り体５”を収納してもケーブル保護が図れ、また巻き取り体５”の外形が適当に変形するため限られたスイッチボックスＢのスペースに対応させることができる。
【００７７】
尚スポンジからなる巻き取り体５”を図２３（ａ）（ｂ）に示すように円柱状に形成し、内部に環状の孔８２を上下に形成し、それぞれの孔８２で囲まれた柱部８５を第１の巻き取り部、第２の巻き取り部とするようにしても良い。尚この場合軸部の半径をファイバーケーブル（図示せず）の許容最小曲率半径に対応するように形成している。また光ファイバーケーブル（図示せず）をそれぞれの柱部８５に巻回させるために各孔８２に対応して各孔８２に連通する切り込み８４を巻き取り体５”を外周面に形成している。尚円柱状の巻き取り体５”の外周面に光ファイバーケーブル３２を巻回するようにしても勿論良い。
【００７８】
而して本実施形態では、実施形態１，２と同様に施工が容易な上に施工者によるばらつきの無い均一な施工が行え、しかも全体の使用部品点数も少なく、量産可能な部材を使用することも可能であるためコストの低減が図れるという利点がある。
【００７９】
（実施形態４）
上記実施形態１乃至３は何れも造営物の壁に埋設したスイッチボックスＢに取付ける光ファイバー用配線器具であったが、本実施形態は造営物の床面に埋設されるフロアコンセント型の光ファイバー用配線器具を構成する。
【００８０】
本実施形態に使用する光コンセント１は図２４（ａ）乃至（ｄ）に示すように実施形態１と同様な構造を持つ光ファイバー用レセプタクル４と、この光ファイバー用レセプタクル４のプラグ接続部４３側のハウジング４０を後方から内挿する前後開口の収納部９０と、この収納部９０の前面開口部９１の開口縁付近の背部から収納部９０内の後方へ突出し、先端の係止爪９２で収納部９０に収納させている光ファイバー用レセプタクル４のハウジング４０の前部の外面を係止保持する弾性片９３と備えたコンセント本体９４とからなり、このコンセント本体９４の両端部には後述する取付基板１００に形成している後述する取付枠部に取り付けるための係止凹部９５や樹脂製取付枠に対応する係止爪９６を設けている。ここでコンセント本体９４の寸法をＪｉＳで規定される大角形の配線器具の１個モジュール寸法に対応させてある。尚光ファイバー用レセプタクル４の詳細は実施形態１の説明を参照するものとする。
【００８１】
さて図２５（ａ）（ｂ）に示すフロア用ボックスＢ’は合成樹脂成形体からなり、床面に開口した開口部（図示せず）に嵌め込む金属製の四枠状のフレーム１０１内に配設するようになっており、周壁には外部から光コンセント１やその他の配線器具１’…を臨ませる開口部を形成している。
【００８２】
光コンセント１を取付けるための取付基板１００は図２６（ａ）（ｂ）に示すように略Ｌ字状に折り曲げ形成された金属板からなり、やや外向きに傾斜した立片１００ａの両側から上方に延びた腕片１００ｃの上端を上記金属製フレーム１０１のフランジ１０１ａの下面にねじ固定して金属性フレーム１０１に取り付けられる構成となっている。一方、横平片１００ｂはフロア用ボックスＢ’の底部下方に配置される。そして上記立片１００ａには上記コンセント本体９４の前面部を嵌め込む開口窓１００ｄと、この開口窓１００ｄの短手側の一端中央に開口窓１００ｄの内方向に突出形成し、開口窓１００ｄに嵌め込まれたコンセント本体９４の一端側に設けている係止凹部９５に係入する係止爪（図示せず）と、開口窓１００ｄの短手側の他端中央に開口窓１００ｄの内方向に変形させることで突出し、開口窓１００ｄに嵌め込まれたコンセント本体９４の他端側に設けている係止凹部９５に係入する係止爪１００ｅとで構成される取付枠部を設けている。
【００８３】
そして光コンセント１を取付けるに当たっては金属製のプレート１０２が用いられる。このプレート１０２は、立片１００ａの背面に沿うように配置されて立片１００ａの背面にねじ固定される立ち上がり片１０２ａと、床下に導入されている光ファイバーケーブル（図示せず）を巻き取るリール状の巻き取り体５'''を固定するとともに光ファイバーケーブル（図示せず）の張力止め金具１０３を配設する水平片１０２ｂとからなり、立ち上がり片１０２ａにはコンセント本体９４の前部を挿通させる開口窓１０２ｃを開口してある。
【００８４】
巻き取り体５'''は図２５（ｂ）に示すようにプレート１０２図に形成しているねじ孔１０２ｄ、１０２ｄを用いてねじ固定される。尚ねじ孔１０２ｄ、１０２ｄ間の角孔１０２ｅは巻き取り体５'''の下面に形成した位置決め突起（図示せず）を嵌める位置決め孔である。
【００８５】
尚ねじ固定でなく、図２７（ａ）に示すようにプレート１０２側に略Ｌ状に切り起こし引掛片１０２ｆを形成し、この引掛片１０２ｆの横片の下側に挿入して引掛ける被掛止片５９を巻き取り体５'''の下面に図２７（ｂ）に示すように一体に設け、これら引掛片８００と、被掛止片３００ｂとの引掛でプレート１０２に巻き取り体５'''を固定するようにしても良い。
【００８６】
尚図２５〜２７では張力止め金具１０３の締め付けねじを図示していないが、締め付けねじが用いられるのは言うまでもない。
【００８７】
而して本実施形態では光ファイバーケーブル３２は巻き取り体３００で余長部分を調整され、また張力止め金具１０３で張力止めが図られる。そして光ファイバーケーブル（図示せず）の先端は、光コンセント１のコンセント本体９４に取り付けられる光ファイバー用レセプタクル４に接続される。
【００８８】
またその他の配線器具１’は上記取付基板１００に連設される取付枠部を利用して取け付けられる。
【００８９】
以上の本実施形態にあっても、実施形態１，２＜３と同様に施工が容易な上に施工者によるばらつきの無い均一な施工が行え、しかも全体の使用部品点数も少なく、量産可能な部材を使用することも可能であるためコストの低減が図れるという利点がある。
【図面の簡単な説明】
【００９０】
【図１】実施形態１の分解斜視図である。
【図２】同上のレセプタクルを示し、（ａ）は同上の正面図、（ｂ）は同上の平断面図、（ｃ）は同上の背面図、（ｄ）は同上の側断面図である。
【図３】同上のボディを示し、（ａ）は側面図、（ｂ）は背面図、（ｃ）は側断面図である。
【図４】同上のボディを示し，（ａ）は正面図、（ｂ）は上面図である。
【図５】同上のカバーを示し、（ａ）は側面図、（ｂ）は上面図、（ｃ）は正面図、（ｄ）は下面図である。
【図６】同上のカバーを示し，（ａ）は側断面図、（ｂ）は背面図である。
【図７】（ａ）は同上に用いるばね体の拡大側面図、（ｂ）は同上に用いるばね体の拡大正面図、（ｃ）は同上に用いる回動軸の拡大正面図である。
【図８】光コンセントの断面図であり、（ａ）は非使用時、（ｂ）は使用時を示す。
【図９】（ａ）は同上の非使用状態を示す一部省略せる斜視図、（ｂ）は同上の使用状態を示す一部省略せる斜視図である。
【図１０】同上に用いる巻き取り体を示し、（ａ）は正面図、（ｂ）は下面図、（ｃ）は正面断面図である。
【図１１】同上に用いる巻き取り体を示し、（ａ）は側断面図、（ｂ）は上面図である。
【図１２】同上に用いる保持体を示し、（ａ）は側面図、（ｂ）は下面図、（ｃ）背面図である。
【図１３】同上に用いる保持体を示し、（ａ）は側断面図、（ｂ）は上面図である。
【図１４】同上に用いる巻き取り体と、保持体の非結合状態の斜視図である。
【図１５】同上の巻き取り体を保持せる保持体をボディに取り付け状態を示す断面図である。
【図１６】同上の取り付け施工後の非使用状態の斜視図である。
【図１７】同上の施工方法の手順説明図である。
【図１８】同上の施工方法の手順説明図である。
【図１９】同上の施工方法の手順説明図である。
【図２０】同上の施工方法の手順説明図である。
【図２１】実施形態２の巻き取り体を示すものであって、（ａ）は上面図、（ｂ）は上方からみた斜視図、（ｃ）は断面図、（ｄ）は底部外面側の斜視図である。
【図２２】実施形態３の巻き取り体の一例を示すものであって、（ａ）は斜視図、（ｂ）は断面図である。
【図２３】実施形態３の巻き取り体の他例を示すものであって、（ａ）は正面図、（ｂ）は断面図である。
【図２４】実施形態４に用いる光コンセントを示すものであって、（ａ）は正面図、（ｂ）は平面断面図、（ｃ）は背面図、（ｄ）は側断面図である。
【図２５】同上のフロア用ボックスにプレートを用いて配設した状態を示すものであって、（ａ）は斜視図、（ｂ）は巻き取り体を外した状態の斜視図である。
【図２６】（ａ）は同上に用いる取付基板にプレートを取り付けた状態を示すものであって、（ａ）は背方から見た斜視図、（ｂ）は前方から見た斜視図である。
【図２７】同上のフロア用ボックスに別のプレートを用いて取り付ける状態を示すものであって、（ａ）は巻き取り体を外した斜視図、（ｂ）はプレート部分の下面を見た一部省略せる斜視図である。
【符号の説明】
【００９１】
１  光コンセント
２  ボディ
３  カバー
４  光ファイバー用レセプタクル
４３  プラグ接続具
５  巻き取り体
６  保持体
８  取付枠
７  化粧プレート
【図１】
2005073366.tif 000003
【図２】
2005073366.tif 000004
【図３】
2005073366.tif 000005
【図４】
2005073366.tif 000006
【図５】
2005073366.tif 000007
【図６】
2005073366.tif 000008
【図７】
2005073366.tif 000009
【図８】
2005073366.tif 000010
【図９】
2005073366.tif 000011
【図１０】
2005073366.tif 000012
【図１１】
2005073366.tif 000013
【図１２】
2005073366.tif 000014
【図１３】
2005073366.tif 000015
【図１４】
2005073366.tif 000016
【図１５】
2005073366.tif 000017
【図１６】
2005073366.tif 000018
【図１７】
2005073366.tif 000019
【図１８】
2005073366.tif 000020
【図１９】
2005073366.tif 000021
【図２０】
2005073366.tif 000022
【図２１】
2005073366.tif 000023
【図２２】
2005073366.tif 000024
【図２３】
2005073366.tif 000025
【図２４】
2005073366.tif 000026
【図２５】
2005073366.tif 000027
【図２６】
2005073366.tif 000028
【図２７】
2005073366.tif 000029